(57)【要約】表示装置は、バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成部を備え、表示色度は、劣化値で示される劣化の度合いが大きくなるに従って、設定色度から装置色度に向けて近づく。
2014192148.tif 000002
【特許請求の範囲】
【請求項１】
バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成部を備え、
前記表示色度は、
前記劣化値で示される劣化の度合いが大きくなるに従って、前記設定色度から前記装置色度に向けて近づく
ことを特徴とする表示装置。
【請求項２】
前記生成部は、
前記劣化値で示される劣化の度合いが大きくなるに従って、前記設定色度と前記表示色度との色差を大きくし、前記装置色度と前記表示色度との色差を小さくするように前記表示色度を生成する
ことを特徴とする請求項１に記載の表示装置。
【請求項３】
映像信号のゲインまたは前記バックライトを駆動する駆動値を、前記生成部が生成した前記表示色度に基づいて調整する映像信号調整部
を備えることを特徴とする請求項１または請求項２のいずれか１項に記載の表示装置。
【請求項４】
前記装置色度は、
予め定められている固定値、前記バックライトの使用時間、所定の駆動値で前記バックライトを発光したときの前記バックライトの色度、および所定の輝度になるように前記バックライトを駆動したときの駆動値のうち少なくとも１つに基づいて算出された値である
ことを特徴とする請求項１または請求項３のいずれか１項に記載の表示装置。
【請求項５】
前記劣化値は、
前記バックライトを駆動する駆動値の初期値と現在値との差または比、前記バックライトの色度の初期値と現在値との差または比、前記バックライトの輝度の初期値と現在値との差または比、および前記バックライトの初期状態から現在までの使用時間のうち少なくとも１つに基づいて算出された値である
ことを特徴とする請求項１から請求項４のいずれか１項に記載の表示装置。
【請求項６】
前記生成部は、
前記劣化値として、劣化の度合いが大きくなると１から０に近づく値を用い、次式によって前記表示色度を生成する
劣化値×設定色度＋（１−劣化値）×装置色度
ことを特徴とする請求項１から請求項５のいずれか１項に記載の表示装置。
【請求項７】
表示装置と映像出力装置とを有する表示システムであって、
前記表示装置が、
光源を有するバックライトと、
前記バックライトを駆動する駆動部と、を備え、
前記映像出力装置が、
前記バックライトの劣化の度合いを示す劣化値と、ユーザ設定に基づく白点の色度である設定色度と、前記表示装置において最も輝度が高くなる白点の色度である装置色度と、に基づいて、前記表示装置に表示する白点の色度である表示色度を生成する生成部と、
映像信号のゲインまたは前記バックライトを駆動する駆動値を、前記生成部が生成した前記表示色度に基づいて調整する映像信号調整部と、を備え、
前記表示色度は、
前記劣化値で示される劣化の度合いが大きくなるに従って、前記設定色度から前記装置色度に向けて近づく
ことを特徴とする表示システム。
【請求項８】
バックライトの劣化の度合いを示す劣化値と、ユーザ設定に基づく白点の色度である設定色度と、表示装置において最も輝度が高くなる白点の色度である装置色度と、に基づいて、前記表示装置に表示する白点の色度である表示色度を生成する生成部と、
映像信号のゲインまたは前記バックライトを駆動する駆動値を、前記生成部が生成した前記表示色度に基づいて調整する映像信号調整部と、
前記映像信号調整部が調整した後の前記映像信号または前記駆動値を、前記バックライトを有する表示装置に出力する出力部と、
を備え、
前記表示色度は、
前記劣化値で示される劣化の度合いが大きくなるに従って、前記設定色度から前記装置色度に向けて近づく
ことを特徴とする映像出力装置。
【請求項９】
バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成手順と、
映像信号のゲインまたは前記バックライトを駆動する駆動値を、前記生成手順によって生成された前記表示色度に基づいて調整する手順と、を含み、
前記表示色度は、
前記劣化値で示される劣化の度合いが大きくなるに従って、前記設定色度から前記装置色度に向けて近づく
ことを特徴とする表示装置の制御方法。
【発明の詳細な説明】
【技術分野】
【０００１】
本発明は、表示装置、表示システム、映像出力装置、および表示装置の制御方法に関する。
【背景技術】
【０００２】
液晶表示装置は、液晶層、バックライト装置などで構成されている。このような液晶表示装置のバックライト装置は、白色光を用いる装置や、３原色（例えば、赤色、緑色、青色）を混合して白色光を発光させる装置がある。３色の光源を有するバックライトでは、３色の輝度のバランスを変化させてホワイトバランス（白点の色度）の調整を行っている（例えば、特許文献１参照）。【０００３】
また、医療用等のグラフィック画像を表示する表示装置では、利用者が望む一定の輝度を長期間、維持することが望まれている。このような用途で用いられるバックライトが３色の冷陰極管による光源を有する表示装置では、出荷時にホワイトバランスが所望のバランスになるように入力される映像信号に対するゲインを設定しておき、設定されたゲインによって装置色度の調整を行っていた。なお、装置色度とは、自表示装置において、最も輝度が高くなる白点の色度であり、バックライトに最大電力を与え、映像信号に最大階調を与えた際に得られる白点の色度である。なお、この白点は、製品などでＮａｔｉｖｅ白点とも言われる。そして、輝度を一定に維持する表示装置では、装置色度が経時劣化して、装置色度と設定色度との色空間における色度の差が拡大した場合、輝度の劣化が発生しやすい。なお、設定色度とは、ユーザ設定に基づく白点の色度である。
このため、輝度を一定に維持する表示装置では、表示装置が経時変化しても、出荷時のホワイトバランスに対する補正値を用いて補正することで、装置色度と設定色度との色度の差を一定に保つことで、輝度の低下を低減していた。
【先行技術文献】
【特許文献】
【０００４】
【特許文献１】特開平５−１２７６２０号公報
【発明の概要】
【発明が解決しようとする課題】
【０００５】
しかしながら、近年、バックライトの光源には、ＬＥＤ（発光ダイオード）が用いられ、冷陰極管の場合と経時劣化の仕方が異なっている。このため、ＬＥＤを用いたバックライトでは、冷陰極管を用いたバックライトと同様に初期に設定したホワイトバランスの補正を経時変化後も使用し続けても、輝度を一定に保てる時間を長く確保できない場合があるという問題点があった。【０００６】
本発明は、上記の問題点に鑑みてなされたものであって、利用者により選択された輝度を維持する時間を改善することができる表示装置、映像出力装置、および表示装置の制御方法を提供することを目的としている。
【課題を解決するための手段】
【０００７】
上記目的を達成するため、本発明に係る表示装置は、バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成部を備え、前記表示色度は、前記劣化値で示される劣化の度合いが大きくなるに従って、前記設定色度から前記装置色度に向けて近づく。【０００８】
上記目的を達成するため、本発明に係る表示システムは、表示装置と映像出力装置とを有する表示システムであって、前記表示装置が、光源を有するバックライトと、前記バックライトを駆動する駆動部と、を備え、前記映像出力装置が、前記バックライトの劣化の度合いを示す劣化値と、ユーザ設定に基づく白点の色度である設定色度と、前記表示装置において最も輝度が高くなる白点の色度である装置色度と、に基づいて、前記表示装置に表示する白点の色度である表示色度を生成する生成部と、映像信号のゲインまたは前記バックライトを駆動する駆動値を、前記生成部が生成した前記表示色度に基づいて調整する映像信号調整部と、を備え、前記表示色度は、前記劣化値で示される劣化の度合いが大きくなるに従って、前記設定色度から前記装置色度に向けて近づく。【０００９】
上記目的を達成するため、本発明に係る映像出力装置は、バックライトの劣化の度合いを示す劣化値と、ユーザ設定に基づく白点の色度である設定色度と、前記表示装置において最も輝度が高くなる白点の色度である装置色度と、に基づいて、前記表示装置に表示する白点の色度である表示色度を生成する生成部と、映像信号のゲインまたは前記バックライトを駆動する駆動値を、前記生成部が生成した前記表示色度に基づいて調整する映像信号調整部と、前記映像信号調整部が調整した後の前記映像信号または前記駆動値を、前記バックライトを有する表示装置に出力する出力部と、を備え、前記表示色度は、前記劣化値で示される劣化の度合いが大きくなるに従って、前記設定色度から前記装置色度に向けて近づく。【００１０】
上記目的を達成するため、本発明に係る表示装置の制御方法は、バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成手順と、映像信号のゲインまたは前記バックライトを駆動する駆動値を、前記生成手順によって生成された前記表示色度に基づいて調整する手順と、を含み、前記表示色度は、前記劣化値で示される劣化の度合いが大きくなるに従って、前記設定色度から前記装置色度に向けて近づく。
【発明の効果】
【００１１】
本発明の表示装置は、利用者により選択された輝度を維持する時間を改善することができる。
【図面の簡単な説明】
【００１２】
【図１】第１実施形態に係る表示装置の概略構成のブロック図である。
【図２】第１実施形態に係る色度制御部の構成の一例を説明する図である。
【図３】第１実施形態に係る設定輝度、設定色度、および表示色度を説明する図である。
【図４】第１実施形態に係る色度制御部の処理手順を示すフローチャートである。
【図５】第１実施形態に係る色度の補正例を説明する図である。
【図６】表示装置における一般的な色度補正手法の例を説明する図である。
【図７】表示装置における一般的な色度補正手法の他の例を説明する図である。
【図８】赤、緑、青の３原色の光源による各光源の輝度寿命の一例を説明する図である。
【図９】第１実施形態に係る使用時間に対する表示装置の構成要素の動作の一例を説明する図である。
【図１０】従来の表示装置と本実施形態に係る表示装置における輝度寿命の一例を説明する図である。
【図１１】第１実施形態に係るＢＬ劣化の値を説明する図である。
【図１２】第２実施形態に係る表示システムの構成例を説明する図である。
【発明を実施するための形態】
【００１３】
［第１実施形態］
以下、図面を用いて本発明の実施形態について詳細に説明する。
図１は、本実施形態に係る表示装置１の概略構成のブロック図である。図１に示すように表示装置１は、設定輝度指定部１０、駆動部２０、バックライト３０、光検出部４０、設定色度指定部５０、色度制御部６０、ホワイトバランス補正部７０、および表示部８０を備えている。
【００１４】
設定輝度指定部１０は、利用者の操作により設定された設定輝度を受け付け、受け付けた設定輝度を駆動部２０に出力する。設定輝度指定部１０は、例えば、本体に設けられているスイッチやリモコン受光部を含む。ここで、設定輝度は、例えばＫ（ケルビン）、ＣＩＥ（Ｃｏｍｍｉｓｓｉｏｎ  Ｉｎｔｅｒｎａｔｉｏｎａｌｅ  ｄｅ  ｌ‘Ｅｃｌａｉｒａｇｅ；国際照明 委員会）−Ｙｘｙ表示系におけるＹの値等である。
【００１５】
駆動部２０は、設定輝度指定部１０が出力した設定輝度と、光検出部４０が出力した検出値とに基づいて、バックライト３０の駆動値を生成し、生成した駆動値をバックライト３０と色度制御部６０とに出力する。駆動部２０は、例えば、ＰＷＭ（Ｐｕｌｓｅ  Ｗｉｄｔｈ  Ｍｏｄｕｌａｔｉｏｎ；パルス幅変調）によって駆動を行う場合、生成する駆動値はパルス信号である。
【００１６】
バックライト３０は、光源であるＬＥＤ（発光ダイオード）３１を含んで構成される。ＬＥＤ３１は、例えば白色ＬＥＤである。バックライト３０は、駆動部２０が出力する駆動値によって発光する。バックライト３０は、例えば、表示部８０の背面に取り付けられている。または、バックライト３０は、表示部８０の下部に取り付けられ、表示部８０内の導光板と光拡散フィルム等によって、発光した光が拡散される。
【００１７】
光検出部４０は、バックライト３０または表示部８０が有する表示器上に表示される所定の画像の輝度と色度を検出し、検出した検出輝度を駆動部２０に出力し、検出した検出色度を色度制御部６０とに出力する。なお、光検出部４０は、青色、緑色、および赤色の波長に対応したカラーセンサを有し、各色の輝度と色度を検出して、検出した各色の検出輝度を駆動部２０に出力し、検出した各色の検出色度を色度制御部６０とに出力するようにしてもよい。光検出部４０は、常時、輝度と色度とを検出してもよく、または、予め定められている周期で定期的に輝度と色度とを検出してもよく、あるいは、利用者により輝度と色度との検出を行う要求がされた場合に検出するようにしてもよい。また、光検出部４０は、輝度の測定を行うときのみ表示部８０に取り付けられるようにしてもよい。
なお、光検出部４０が検出するタイミングは、予め定められている周期、予め定められている日時、ランダム、利用者により指定されたとき等であってもよい。
【００１８】
設定色度指定部５０は、利用者の操作により設定された設定色度を受け付け、受け付けた設定色度を色度制御部６０に出力する。設定色度指定部５０は、例えば、本体に設けられているスイッチやリモコン受光部を含む。ここで、設定色度は、例えばＣＩＥ−Ｙｘｙ表示系における（ｘ、ｙ）値、Ｌ＊ｕ＊ｖ＊表示系におけるｕ＊とｖ＊値、ＲＧＢの各色に対する比率等である。また、設定色度は、利用者によって設定された利用者設定に基づく白点の色度である。
【００１９】
色度制御部６０は、設定色度指定部５０が出力した設定色度、駆動部２０が出力した駆動値、および光検出部４０が出力した検出色度に基づいて、表示色度を算出し、算出した表示色度をホワイトバランス補正部７０に出力する。なお、表示色度とは、表示装置１に表示する白点の色度である。
【００２０】
ホワイトバランス補正部７０は、色度制御部６０が出力した表示色度に応じて、外部から入力された映像信号のゲイン（以下、ビデオゲインという）を制御し、制御した映像信号を表示部８０に表示させる。換言すると、ホワイトバランス補正部７０は、映像信号のゲインを、生成部である色度制御部６０が生成した補正値である表示色度に基づいて調整する映像信号調整部である。
【００２１】
表示部８０は、ホワイトバランス補正部７０の制御に応じて、映像を表示する。表示部８０は、例えば、例えばＴＦＴ（Ｔｈｉｎ  Ｆｉｌｍ  Ｔｒａｎｓｉｓｔｏｒ；薄膜トランジスタ）方式の液晶パネルである。表示部８０に搭載される表示素子は、液晶方式以外の表示素子、例えば有機エレクトロルミネッセンス表示素子、無機エレクトロルミネッセンス表示素子、ＰＡＬＣ（Ｐｌａｓｍａ  Ａｄｄｒｅｓｓ  Ｌｉｑｕｉｄ  Ｃｒｙｓｔａｌ；プラズマ・アドレス液晶）、ＰＤＰ（Ｐｌａｓｍａ  Ｄｉｓｐｌａｙ  Ｐａｎｅｌ）やＦＥＤ（Ｆｉｅｌｄ  Ｅｍｉｓｓｉｏｎ  Ｄｉｓｐｌａｙ）、ＤＭＤ（ｄｉｇｉｔａｌ  ｍｉｃｒｏｍｉｒｒｏｒ  ｄｅｖｉｃｅ；デジタルミラーデバイス）方式のプロジェクタであってもよい。
【００２２】
図２は、本実施形態に係る色度制御部６０の構成の一例を説明する図である。図２に示すように、色度制御部６０は、装置色度推定部６０１、ＢＬ（バックライト）劣化推測部６０２、記憶部６０３、および表示色度補正部６０４を備えている。
【００２３】
装置色度推定部６０１は、光検出部４０が出力した検出色度に基づいて、周知の手法によって装置色度を推定し、推定した装置色度を表示色度補正部６０４に出力する。ここで、装置色度とは、自表示装置１において、最も輝度が高くなる白点の色度であり、バックライトに最大電力を与え、映像信号に最大階調を与えた際に得られる白点の色度である。なお、この白点は一般にＮａｔｉｖｅ白点と言われる。装置色度推定部６０１は、例えば、バックライト３０または表示部８０の初期特性、表示部８０が液晶パネルを有する場合の液晶パネルの光透過特性などに基づいて、周知の手法により最大輝度となる色度を装置色度として推定する。なお、最大輝度は、例えば、バックライト３０の発光量と液晶パネルの透過率との関係によって決まる。
なお、装置色度推定部６０１は、光検出部４０が出力した検出色度を設定色度としてＢＬ劣化推測部６０２に出力するようにしてもよい。
【００２４】
ＢＬ劣化推測部６０２は、駆動部２０が出力した駆動値を取得する。ＢＬ劣化推測部６０２は、バックライト３０の初期状態の駆動値（以下、基準駆動値という）を記憶部６０３に記憶させる。ＢＬ劣化推測部６０２は、記憶部６０３に記憶させた基準駆動値と、駆動部２０が出力する現在の駆動値（以下、現在駆動値という）とに基づいて、バックライト３０の劣化の度合いであるＢＬ劣化の値を推測する。ＢＬ劣化推測部６０２は、推定したＢＬ劣化の値を表示色度補正部６０４に出力する。例えば、ＢＬ劣化推測部６０２は、次式（１）により、ＢＬ劣化の値を算出する。
【００２５】
ＢＬ劣化［％］＝（基準駆動値／現在駆動値）×１００  …（１）
【００２６】
なお、駆動値は、ＰＷＭによって駆動される場合、オン時間のデューティ、駆動電流の平均値、駆動電圧の平均値等であってもよい。
【００２７】
記憶部６０３には、基準駆動値および目標色度補正の動作特性が記憶されている。目標色度補正の動作特性については、後述する。
【００２８】
表示色度補正部６０４は、設定色度指定部５０が出力した設定色度と、装置色度推定部６０１が出力した装置色度と、ＢＬ劣化推測部６０２が出力したＢＬ劣化の値とに基づいて、設定色度と装置色度とを混合して表示色度を算出する。表示色度補正部６０４は、算出した表示色度をホワイトバランス補正部７０に出力する。例えば、表示色度補正部６０４は、次式（２）によって、表示色度を算出する。
【００２９】
表示色度＝ｋ×設定色度＋（１−ｋ）×装置色度  …（２）
【００３０】
式（２）において、符号ｋは、ＢＬ劣化の値である。また、符号ｋは、０〜１の間の値であり、１のときが初期状態であって、０に近づくほど劣化していることを示している。換言すると、式（２）が示すように表示色度は、ＢＬ劣化の値に設定色度を乗じた値と、１からＢＬ劣化の値を引いた値に装置色度を乗じた値とを加算した値である。
【００３１】
図３は、本実施形態に係る設定輝度、設定色度、および表示色度を説明する図である。図３は、ＣＩＥ１９３１（ＸＹＺ）表色系におけるＸＹ色度図であり、横軸はｘ、縦軸はｙを表す。図３に示すように、ＣＩＥ１９３１表色系における色度図では、略三角形１０１で囲まれた各頂点は、それぞれＧ（緑色）、Ｂ（青色）、Ｒ（赤色）に対応する。また、略三角形１０１で囲まれた領域は、表示部８０が表現可能な色空間を表している。
点１１１は、設定色度を示し、点１１２は、装置色度を示す。また、点１１３は、補正後の色度を示す。
【００３２】
初期状態では、バックライト３０の劣化が発生していないため、ｋが１である。このとき、補正後の色度は、設定色度に等しい。すなわち、初期状態では、色度制御部６０は、設定色度に対して、補正を行わない。このため、点１１３の位置は、点１１１の位置と等しい。
バックライト３０の劣化が発生し、ｋが０．５の場合、表示色度は、０．５×設定色度＋０．５×装置色度である。すなわち、設定色度と装置色度が同じ比率で混合され、点１１３の位置は、点１１１と点１１２とを結ぶ直線の中間である。換言すると、表示色度補正部６０４は、所定の色空間において、目標色度と無補正時色度とを結ぶ線分に載るように補正値である表示色度を生成する。なお、ここで、目標色度と無補正時色度とを結ぶ線分に載るとは、図３のように、点１１１と点１１２とを結ぶ線分、およびこの線分の近傍も含む。また、この点１１１と点１１２とを結ぶ線分は、図３では直線の例を示したが、これに限られず、曲線であってもよい。
さらに使用時間が長くなってバックライト３０の劣化が進みｋが０になった場合、表示色度は、装置色度に等しい。すなわち、劣化が進んだ状態では、点１１３の位置は、点１１２の位置と等しい。
【００３３】
図３の矢印１２１に示したように、本実施形態の色度制御部６０は、劣化の度合いによって、設定色度を装置色度に近づけるように、補正している。
【００３４】
次に、色度制御部６０の処理手順を説明する図４は、本実施形態に係る色度制御部６０の処理手順を示すフローチャートである。
（ステップＳ１）装置色度推定部６０１は、光検出部４０が出力した検出色度と、設定色度指定部５０が出力した設定色度とに基づいて、周知の手法によって装置色度を推定し、推定した装置色度をＢＬ劣化推測部６０２に出力する。
【００３５】
（ステップＳ２）ＢＬ劣化推測部６０２は、記憶部６０３に記憶させた基準駆動値と、駆動部２０が出力する現在駆動値とに基づいて、例えば式（１）によってＢＬ劣化の値を推測する。ＢＬ劣化推測部６０２は、推定したＢＬ劣化の値を表示色度補正部６０４に出力する。
【００３６】
（ステップＳ３）表示色度補正部６０４は、設定色度指定部５０が出力した設定色度と、装置色度推定部６０１が出力した装置色度と、ＢＬ劣化推測部６０２が出力したＢＬ劣化の値とに基づいて、例えば式（２）によって表示色度を算出する。表示色度補正部６０４は、算出した表示色度をホワイトバランス補正部７０に出力する。
【００３７】
（ステップＳ４）ホワイトバランス補正部７０は、色度制御部６０が出力した表示色度に応じて映像信号に対するビデオゲインを制御し、制御した映像信号を表示部８０に表示させる。
【００３８】
図５は、本実施形態に係る色度の補正例を説明する図である。図５は、図３と同様にＣＩＥ１９３１（ＸＹＺ）表色系におけるＸＹ色度図であり、横軸はｘ、縦軸はｙを表す。略三角形１０１で囲まれた領域は、表示部８０が表現可能な色空間を表している。点２０１は、初期状態における装置色度、点２０２は、長時間使用した後の装置色度を示す。ここで、長時間とは、例えば数千時間である。点２０４は、第１の利用者が設定した設定色度を示す。点２０３と点２０５は、点２０４に対応する表示色度を示す。点２０３は、初期状態における表示色度を示し、点２０５は、長時間使用した後における表示色度を示す。また、点２０７は、第２の利用者が設定した設定色度を示す。点２０６と点２０８は、点２０７に対応する表示色度を示す。点２０６は、初期状態における表示色度を示し、点２０８は、長時間使用した後における表示色度を示す。このように、表示色度はバックライト３０の劣化に伴って移動する。
【００３９】
色度制御部６０は、バックライト３０の劣化に応じて、矢印２１１のように、初期状態における表示色度を示す点２０３を長時間使用した後における表示色度を示す点２０５に移動させ、長時間使用した後の装置色度を示す点２０２に近づけるように、色度を補正する表示色度を算出する。また、色度制御部６０は、バックライト３０の劣化に応じて、矢印２１２のように、初期状態における表示色度を示す点２０６を長時間使用した後における表示色度を示す点２０８に移動させ、長時間使用した後の装置色度を示す点２０２に近づけるように、色度を補正する表示色度を算出する。
【００４０】
従って、色度制御部６０は、図５のように異なる長時間使用した後における表示色度（点２０５および点２０８）を、各々、長時間使用した後における表示色度（点２０２）に近づけるように、色度を補正する表示色度を算出する。この結果、複数の利用者が設定色度を複数設定した場合であっても、ホワイトバランス補正部７０は、算出した表示色度に応じて、映像信号に対するビデオゲインを補正していくことで、従来のようにビデオゲインを初期値のまま輝度を保っていた場合と比較して、輝度を一定に保てる時間を延ばすことができる。
【００４１】
図６は、表示装置における一般的な色度補正手法の例を説明する図である。図６は、図５と同様にＣＩＥ１９３１（ＸＹＺ）表色系におけるＸＹ色度図である。点２０１、点２０２、点２０３、点２０６は、図５と同様である。図６に示した例は、初期の色度に対する補正値を変更せずに保つ例である。
【００４２】
バックライト３０の劣化に応じて、初期の装置色度である点２０１は点２０２に移動し、引きずられて初期状態における表示色度を示す点２０３と点２０６とは、点２０５と点２０９に移動する。
すなわち一般的な表示装置では、初期の装置色度である点２０１に対する点２０３の色差と、長時間使用した後の装置色度である点２０２に対する点２０５の色差はほぼ同一である。同様に点２０１に対する点２０６の色差と、前記点２０２に対する点２０９の色差もほぼ同一である。
【００４３】
次に、表示装置における一般的な色度補正手法として、さらに異なる例を説明する。図７は、表示装置における一般的な色度補正手法の他の例を説明する図である。図７は、図５と同様にＣＩＥ１９３１（ＸＹＺ）表色系におけるＸＹ色度図である。点２０１、点２０２、点２０３、点２０６は、図５と同様である。図７に示した例は、表示色度と設定色度とが一致するように補正値を随時、補正する例である。
【００４４】
この手法では、バックライト３０の劣化によらず、表示色度と設定色度とを一致させる。すなわち、図７に示すように、初期状態における表示色度を示す点２０３と、長時間使用した後における表示色度を示す点２３１とを一致させる。同様に、初期状態における表示色度を示す点２０６と、長時間使用した後における表示色度を示す点２３２とを一致させる。この場合も、図６と同様に、バックライト３０の劣化に伴って、初期の装置色度である点２０１は点２０２に移動する。
このため、装置色度と表示色度の色差がバックライト３０の劣化に依存して変化する。すなわち設定色度によっては、長時間使用に伴い、装置色度と表示色度との色差が拡大していく。この場合は色度補正による輝度損失が大きくなる。これを補い表示装置に表示する白点の輝度を維持するよう、バックライト３０の出力を増加するため、短時間でバックライト３０の出力上限に達していた。この結果、所定の輝度を維持できる時間（バックライト３０の出力上限に達するまでの時間）が短くなっていた。
【００４５】
しかしながら、一般に表示装置では、光源毎に劣化する度合いが、図８に示すように異なっている。図８は、赤、緑、青の３原色の光源による各光源の輝度寿命の一例を説明する図である。図８において、横軸は使用時間、縦軸は画面の最大輝度である。曲線３０１は赤色の光源の使用時間に対する画面の最大輝度の変化、曲線３０２は緑色の光源の使用時間に対する画面の最大輝度の変化、曲線３０３は青色の光源の使用時間に対する画面の最大輝度の変化である。
【００４６】
例えば、バックライトが赤色、緑色、青色の３色のＬＥＤ（発光ダイオード）の場合、図８に示すように、赤色のＬＥＤが一番先に輝度が落ち始める。そして、使用時間ｔ１のとき、最大輝度が指定輝度に達する。次に、緑色のＬＥＤの輝度が落ち始め、使用時間ｔ２のとき、最大輝度が指定輝度に達する。最後に、青色のＬＥＤの輝度が落ち始め、使用時間ｔ３のとき、最大輝度が指定輝度に達する。このように、１つの光源の輝度が落ち始めた場合、残りの光源の輝度を、輝度が落ち始めた光源の輝度に合わせて下げる必要がある。バックライトが白色ＬＥＤの光源を有している場合であっても、同様に、一番先に赤色の成分の輝度が落ち始める。このため、色度を一定に維持する用途の従来の表示装置では、輝度を維持できる時間（以下、輝度寿命という）が極めて短い課題があった。例えば、色度を維持する従来の表示装置は（同じ表示デバイスであっても、制御特性の違いにより）、例えば輝度寿命が８千時間であった。
【００４７】
一方、本実施形態の表示装置１は、推測したバックライト３０のＬＥＤ３１の劣化を示すＢＬ劣化の値を用いて、補正後の色度を長時間使用後の装置色度に、徐々に近づけるように補正する。この結果、本実施形態の表示装置１は、上述したように、設定色度に関わらず、補正後の色度と長時間使用後の装置色度との色度の差を徐々に短縮して行くことができる。この結果、本実施形態の表示装置１は、補正後の色度と長時間使用後の装置色度との色度の差を短縮して行くため、従来の表示装置に比べて輝度寿命を延ばすことができる。例えば、本実施形態の表示装置１では、輝度寿命が３万時間である。
【００４８】
次に、本実施形態における映像信号に対するビデオゲイン、バックライト３０の駆動電力、バックライト３０の輝度、表示部８０上に表示される輝度（以下、表示輝度という）について説明する。図９は、本実施形態に係る使用時間に対する表示装置１の構成要素の動作の一例を説明する図である。
図９において、横軸は使用時間、曲線４０１の縦軸はビデオゲイン、曲線４０２の縦軸はバックライトの輝度、曲線４０３の縦軸はバックライトの駆動電力、曲線４０４の縦軸は表示輝度である。
【００４９】
図９の曲線４０１は、使用時間に従って、ｋの値が１から０に近い値に減少することに伴うビデオゲインの変化を表している。また、曲線４０１のように、初期のビデオゲインはｖｇ１である。なお、ビデオゲインｖｇ１は、０より大きく、１以下の値であり、例えば０．７である。また、ｖｇ２およびｖｇ３も１以下の値である。
また、曲線４０２は、指定輝度を得るために必要なバックライト３０の輝度の使用時間に伴う変化を表している。また、曲線４０２のように、初期のバックライト３０の輝度はｃ１である。
また、曲線４０３は、バックライト３０の劣化に伴うバックライト３０の駆動電力の変化を表している。また、曲線４０３のように、初期のバックライト３０の駆動電力はｐ１である。
また、曲線４０４のように、初期の表示輝度はｃ３である。なお、初期の表示輝度ｃ３は、予め利用者により指定された指定輝度、または予め表示装置１に設定されている指定輝度である。
【００５０】
使用時間ｔ１において、ｋの値が１から０の間の値に減少する。このため、曲線４０１のように、ビデオゲインがｖｇ１からｖｇ２にホワイトバランス補正部７０によって増える。これに伴って、曲線４０２のようにバックライト３０の輝度がｃ１からｃ２に下がる。駆動部２０は、光検出部４０が出力する検出輝度がｃ１からｃ２に下がったため、バックライト３０に出力する駆動値を増やす。この結果、曲線４０３のように、使用時間ｔ１におけるバックライト３０の駆動電力がｐ１からｐ２に駆動部２０によって増える。従って、表示装置１は、曲線４０４のように、表示輝度はｃ３を維持する。
【００５１】
バックライト３０の劣化が進んだ使用時間ｔ２において、ｋの値が１から０に近い値に減少する。このため、曲線４０１のように、ビデオゲインがｖｇ２からｖｇ３にホワイトバランス補正部７０によって増える。ｖｇ３は、１に近い値であり、例えば０．９である。これに伴って、曲線４０２のようにバックライト３０の輝度がｃ３に下がる。駆動部２０は、光検出部４０が出力する検出輝度がｃ３に下がったため、バックライト３０に出力する駆動値を増やす。この結果、曲線４０３のように、使用時間ｔ２におけるバックライト３０の駆動電力がｐ３に駆動部２０によって増える。なお、駆動電力ｐ３は、駆動部２０を構成する回路部品の定格電力である。このため、駆動電力は、曲線４０３のように、使用時間ｔ２で飽和する。ビデオゲインが１の場合、ホワイトバランス補正部７０は、映像信号に対して補正を行わない。この結果、表示装置１は、曲線４０４のように、表示輝度はｃ３を維持する。
【００５２】
使用時間ｔ２以降、曲線４０１のように、ビデオゲインがｖｇ３から１に近い値に向かって、ホワイトバランス補正部７０によって増える。曲線４０２のようにバックライト３０の輝度が低下しても、曲線４０３のように駆動電力が飽和しているので駆動電力を増やせない。この結果、曲線４０４のように、表示装置１の表示輝度は、指定輝度ｃ３から低下し始める。
上述した色度の補正を本実施形態のように行わない従来の表示装置では、図１０に示すように、初期のバックライト３０の輝度を最大輝度に制御し、所定の輝度になるように映像信号の大きさを制御していた。従来の表示装置では、このような使用方法のため、前述したように駆動部が発する熱が大きく、使用時間ｔ１１において駆動電力が飽和する。
【００５３】
図１０は、従来の表示装置と本実施形態に係る表示装置１における輝度寿命の一例を説明する図である。図１０において、横軸は使用時間、縦軸は輝度寿命である。また、曲線５０１は従来の表示装置における使用時間に対する表示輝度、曲線５０２は本実施形態の表示装置１における使用時間に対する表示輝度である。曲線５０１のように、従来の表示装置の輝度寿命は、使用時間ｔ１１であり、例えば約８千時間である。また、曲線５０２のように、本実施形態の表示装置１の輝度寿命は、使用時間ｔ１２であり、例えば約３万時間である。
【００５４】
一方、本実施形態では、上述したように、バックライト３０の輝度が下がり始めると駆動電力を増加させつつ、ビデオゲインを上げ始める。このため、初期のビデオゲインを１より小さいゲインに抑えている。そして、バックライト３０の輝度が下がり始めると、本実施形態では、色度制御部６０が生成した表示色度に基づいて、ホワイトバランス補正部７０が抑えていたビデオゲインをゆるめることで、ビデオゲインを上げていく。これにより、本実施形態の表示装置１では、所定の輝度である指定輝度に保てる使用時間ｔ２を、図１０の矢印５１１のように大幅に延ばすことができる。
【００５５】
以上のように、本実施形態の表示装置は、バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成部を備え、表示色度は、劣化値で示される劣化の度合いが大きくなるに従って、設定色度から装置色度に向けて近づく。
また、本実施形態の表示装置において、生成部は、劣化値で示される劣化の度合いが大きくなるに従って、設定色度と表示色度との色差を大きくし、装置色度と表示色度との色差を小さくするように表示色度を生成する。
また、本実施形態の表示装置は、映像信号のゲインまたはバックライトを駆動する駆動値を、生成部が生成した表示色度に基づいて調整する映像信号調整部を備える。
【００５６】
この構成により、本実施形態では、バックライト３０の輝度が下がり始めて劣化の度合いに応じて、色度制御部６０が劣化推定値で示される劣化の度合いが大きくなるに従って表示における設定色度を装置色度に近づけるように表示色度を算出する。そして、ホワイトバランス補正部７０は、劣化に応じて、色度制御部６０が出力した表示色度に基づいて、ビデオゲインを上げていくことで、色度の補正を行う。この結果、本実施形態の表示装置１によれば、バックライト３０の光源の劣化の進み具合に応じて、設定色度を、装置色度に近づけることで、補正量を抑えることができる。このため、従来と比較し、バックライト３０を駆動する電力を抑えることができるので、駆動部２０によって発生する熱を低減できる。この結果、本実施形態の表示装置１によれば、所定の輝度である指定輝度に保てる使用時間を延ばすことができる。
【００５７】
また、上述したように、本実施形態の表示装置１は、バックライト３０の劣化に従って、時間の経過と共に設定色度を移動させて補正している。
【００５８】
なお、本実施形態において、装置色度推定部６０１は、光検出部４０が出力した検出色度に基づいて、装置色度を推定する例を説明したが、これに限られない。装置色度推定部６０１は、駆動部２０が出力する駆動値、バックライト３０を発光させた初期状態からの使用時間、または予め定められている固定値を用いて、装置色度を推定するようにしてもよい。
【００５９】
例えば、装置色度推定部６０１は、自部に予め記憶されている固定値を読み出し、読み出した固定値を装置色度に用いてもよい。
【００６０】
また、装置色度推定部６０１は、所定の輝度でバックライト３０のＬＥＤ３１を発光させるときの初期の駆動値を駆動部２０から取得し、取得した初期の駆動値を自部内に記憶させておくようにしてもよい。そして、装置色度推定部６０１は、所定の輝度でバックライト３０のＬＥＤ３１を発光させるときの現在の駆動値を駆動部２０から取得し、取得した現在の駆動値と記憶させた初期の駆動値とに基づいて装置色度を推定するようにしてもよい。また、ＢＬ駆動値に対応させて予め記憶させた値を装置色度に用いてもよい。
【００６１】
あるいは、装置色度推定部６０１は、バックライト３０を発光させた初期状態からの使用時間を計時するようにしてもよい。そして、ＢＬ劣化推測部６０２は、計時した使用時間に基づいて、装置色度を推定するようにしてもよい。また、使用時間に対応させて予め記憶させた値を装置色度に用いてもよい。
【００６２】
なお、本実施形態において、ＢＬ劣化推測部６０２は、駆動部２０が出力した駆動値を用いてＢＬ劣化の値を推測する例を説明したが、これに限られない。ＢＬ劣化推測部６０２は、光検出部４０が出力する検出輝度および検出色度、装置色度推定部６０１が推定した装置色度、バックライト３０を発光させた初期状態からの使用時間などからＢＬ劣化の値を推測するようにしてもよい。
【００６３】
例えば、ＢＬ劣化推測部６０２は、光検出部４０が出力する検出輝度および検出色度の初期値を各々、記憶部６０３に記憶させるようにしてもよい。そして、ＢＬ劣化推測部６０２は、光検出部４０が出力する現在の検出輝度と、記憶部６０３に記憶させた検出輝度の初期値を用いて、検出輝度の初期値と現在の検出輝度との差または比に基づいて、ＢＬ劣化の値を推定するようにしてもよい。同様に、ＢＬ劣化推測部６０２は、光検出部４０が出力する現在の検出色度と、記憶部６０３に記憶させた検出色度の初期値を用いて、検出色度の初期値と現在の検出色度との差または比に基づいて、ＢＬ劣化の値を推定するようにしてもよい。
【００６４】
または、ＢＬ劣化推測部６０２は、バックライト３０を発光させた初期状態からの使用時間を計時するようにしてもよい。そして、記憶部６０３には、予め使用時間に対応するＢＬ劣化の値が関連づけられて記憶されていてもよい。ＢＬ劣化推測部６０２は、計時した使用時間に対応する記憶部６０３に記憶されているＢＬ劣化の値を読み出すことで、ＢＬ劣化の値を推定するようにしてもよい。
【００６５】
あるいは、ＢＬ劣化推測部６０２は、装置色度推定部６０１が推定した装置色度を取得し、取得した装置色度と、光検出部４０が出力した現在の検出色度との差または比に基づいて、ＢＬ劣化の値を推定するようにしてもよい。また、装置色度、使用時間に対応させて予め記憶させたＢＬ劣化の値を用いてもよい。
【００６６】
なお、本実施形態では、ＢＬ劣化推測部６０２が、式（１）によって直線補完することで、ＢＬ劣化の値であるｋを算出する例を説明したが、これに限られない。
図１１は、本実施形態に係るＢＬ劣化の値を説明する図である。図１１において、横軸はバックライト３０のＬＥＤ３１が劣化していない度合い、縦軸はＢＬ劣化の値であるｋを示している。なお、劣化していない度合いは、０％が劣化していないときの度合いであり、劣化に従って１００％に近づいていく。
【００６７】
直線７０１は、式（１）で説明したｋであり、劣化の度合いに応じて、値が０から１に比例して増加していく。曲線７０２および７０３は、劣化の度合いに対するｋの変化の仕方が、直線７０１とは劣化の度合いが５０％の近傍を含む範囲で異なる。例えば劣化の度合いが５０％のとき、直線７０１ではｋが０．５、曲線７０２ではｋが０．６、曲線７０３ではｋが０．４である。
ＢＬ劣化推測部６０２は、図１１の示した劣化の度合いに対するＢＬ劣化の値であるｋの値を関連づけたＬＵＴ（ルックアップテーブル）を、予め記憶部６０３に記憶させておくようにしてもよい。そして、ＢＬ劣化推測部６０２は、駆動部２０が出力した駆動値に基づいて、記憶部６０３に記憶されているＬＵＴを用いてＢＬ劣化の値を推定するようにしてもよい。
【００６８】
また、本実施形態では、ホワイトバランス補正部７０が、色度制御部６０が出力する表示色度に応じて、ビデオゲインを補正する例を説明したが、これに限られない。例えば、色度制御部６０は、算出した表示色度に基づいて、バックライト３０を駆動する駆動値を変更する補正値を生成し、生成した駆動値を駆動部２０に出力するようにしてもよい。または、色度制御部６０は、ビデオゲインと駆動値の両方を補正するように、設定色度を、ホワイトバランス補正部７０と駆動部２０とに振り分けるようにしてもよい。この場合、ホワイトバランス補正部７０は、バックライト３０の光源を駆動する駆動値を、生成部である色度制御部６０が生成した補正値である表示色度に基づいて調整する映像信号調整部である。
【００６９】
［第２実施形態］
第１実施形態では、表示装置１が、表示色度に応じてビデオゲインの調整を行う例を説明したが、これに限られない。本実施形態では、表示色度の生成を、例えば映像信号を出力する装置が行う例を説明する。
【００７０】
図１２は、本実施形態に係る表示システム９００の構成例を説明する図である。図１２に示すように、表示システム９００は、映像出力装置９０１および表示装置９０２を備えている。映像出力装置９０１と表示装置９０２との間は、映像ケーブル９０３と制御信号ケーブル９０４とによって接続されている。制御信号ケーブル９０４は、例えばＵＳＢ（Ｕｎｉｖｅｒｓａｌ  Ｓｅｒｉａｌ  Ｂｕｓ）ケーブルである。
【００７１】
カラーセンサ９０５は、表示装置９０２に取り付けられている。カラーセンサ９０５は、図１の光検出部４０に相当する機能部である。カラーセンサ９０５は、検出した検出輝度を映像出力装置９０１に出力する。
【００７２】
映像出力装置９０１は、映像信号出力部９１１、制御信号入出力部９１２、操作部９１３、記憶部９１４、色度制御部６０ａ、およびホワイトバランス補正部７０ａを含んで構成されている。また、映像出力装置９０１は、例えばＰＣ（パーソナルコンピュータ）である。
【００７３】
操作部９１３は、利用者の操作により設定された設定輝度と設定色度とを受け付け、受け付けた設定輝度と設定色度とを記憶部９１４に記憶させる。操作部９１３は、例えば、本体に設けられているスイッチやリモコン受光部を含む。
記憶部９１４には、設定輝度と設定色度とが記憶される。
【００７４】
色度制御部６０ａは、カラーセンサ９０５が出力した検出色度を取得する。
色度制御部６０ａは、記憶部９１４に記憶されている設定色度、表示装置９０２から受信した駆動値、および取得した検出色度に基づいて、表示色度を算出し、算出した表示色度をホワイトバランス補正部７０ａに出力する。なお、色度制御部６０ａの構成は、第１実施形態で説明した色度制御部６０と同様である。このため、色度制御部６０ａは、表示色度の算出を、第１実施形態と同様に、式（２）を用いて算出する。また、第１実施形態と同様に、算出に用いるＢＬ劣化の値は、直線補間による式（１）に限られず、自部内に記憶されている図１１に示したような劣化度合いとｋ値とが関連づけられているＬＵＴを用いて算出するようにしてもよい。
【００７５】
ホワイトバランス補正部７０ａは、色度制御部６０ａが出力した表示色度に応じて、外部から入力された映像信号または自装置で生成した映像信号のゲイン（以下、ビデオゲインという）を制御し、制御した映像信号を、映像信号出力部９１１に出力する。
【００７６】
映像信号出力部９１１は、ホワイトバランス補正部７０ａが出力した映像信号を、映像ケーブル９０３を介して表示装置９０２に出力する。
制御信号入出力部９１２は、記憶部９１４に記憶されている設定輝度と、カラーセンサ９０５が出力した検出値とを、制御信号ケーブル９０４を介して表示装置９０２に送信する。制御信号入出力部９１２は、表示装置９０２が備えるバックライト３０ａを駆動するための駆動値を示す情報を、制御信号ケーブル９０４を介して表示装置９０２から受信する。
【００７７】
表示装置９０２は、映像信号入力部９２１、制御信号入出力部９２２、駆動部２０ａ、バックライト３０ａ、および表示部８０ａを備えている。
駆動部２０ａ、バックライト３０ａ、および表示部８０ａは、それぞれ図１に示した機能部のうち駆動部２０、バックライト３０、および表示部８０に相当する機能部である。
【００７８】
駆動部２０ａは、制御信号入出力部９２２が出力した設定輝度と検出値とに基づいて、バックライト３０ａの駆動値を生成し、生成した駆動値をバックライト３０ａと制御信号入出力部９２２とに出力する。なお、駆動部２０ａは、光検出部４０が出力した検出値を直接、受信するようにしてもよい。
バックライト３０ａは、駆動部２０ａが出力する駆動値によって発光する。
【００７９】
映像信号入力部９２１は、映像出力装置９０１から受信した映像信号を、表示部８０ａに出力する。
制御信号入出力部９２２は、駆動部２０ａが出力した駆動値に基づく駆動値を示す情報を生成し、生成した駆動値を示す情報を、制御信号ケーブル９０４を介して映像出力装置９０１に送信する。また、制御信号入出力部９２２は、設定輝度と検出値とを、制御信号ケーブル９０４を介して映像出力装置９０１から受信する。
表示部８０ａは、映像信号入力部９２１が映像出力装置９０１から受信した映像信号を表示する。
【００８０】
以上のように、本実施形態の表示システムは、表示装置と映像出力装置とを有する表示システムであって、表示装置が、光源を有するバックライトと、バックライトを駆動する駆動部と、を備え、映像出力装置が、バックライトの劣化の度合いを示す劣化値と、ユーザ設定に基づく白点の色度である設定色度と、表示装置において最も輝度が高くなる白点の色度である装置色度と、に基づいて、表示装置に表示する白点の色度である表示色度を生成する生成部と、映像信号のゲインまたはバックライトを駆動する駆動値を、生成部が生成した表示色度に基づいて調整する映像信号調整部と、を備え、表示色度は、劣化値で示される劣化の度合いが大きくなるに従って、設定色度から装置色度に向けて近づく。
【００８１】
また、本実施形態の映像出力装置は、バックライトの劣化の度合いを示す劣化値と、ユーザ設定に基づく白点の色度である設定色度と、表示装置において最も輝度が高くなる白点の色度である装置色度と、に基づいて、表示装置に表示する白点の色度である表示色度を生成する生成部と、映像信号のゲインまたはバックライトを駆動する駆動値を、生成部が生成した表示色度に基づいて調整する映像信号調整部と、映像信号調整部が調整した後の映像信号または駆動値を、バックライトを有する表示装置に出力する出力部と、を備え、表示色度は、劣化値で示される劣化の度合いが大きくなるに従って、設定色度から装置色度に向けて近づく。
【００８２】
このため、映像出力装置９０１は、表示色度に応じて、補正した後の映像信号を、表示装置９０２に出力する。そして、表示装置９０２は、表示色度を算出するために必要な駆動値を示す情報を、映像出力装置９０１に送信している。このような構成のため、本実施形態の表示システム９００においても、第１実施形態と同様に、利用者により選択された輝度を維持する時間を改善することができる。
【００８３】
なお、第１および第２実施形態では、バックライト３０に白色のＬＥＤを光源として用いる例を説明したが、これに限られない。バックライト３０は、例えば、赤色のＬＥＤ、緑色のＬＥＤ、および青色のＬＥＤの３つの光源の光を混合することで白色の光を生成するようにしてもよい。この場合、駆動部２０は、赤色、緑色、および青色のＬＥＤに対して、それぞれ別に駆動部を有していてもよい。あるいは、緑色のＬＥＤ、青色のＬＥＤ、およびこの２つのＬＥＤによって励起されて発光する蛍光体によって白色の光を生成するようにしてもよい。この場合、駆動部２０は、緑色、および青色のＬＥＤに対して、それぞれ別に駆動部を有していてもよい。
【００８４】
以上において、本発明では、バックライト３０（含む３０ａ）を表示装置１（含む９０２）のバックライトに用いる例を説明したが、これに限られない。バックライト３０（含む３０ａ）は、例えば、プロジェクタの光源、レーザーテレビ等の光源に用いてもよい。また、本実施形態の表示装置１（含む９０２）は、携帯情報端末、ナビゲーションシステム、公告表示灯、電子看板（デジタルサイネージ；Ｄｉｇｉｔａｌ  Ｓｉｇｎａｇｅ）等にも適用してもよい。
【００８５】
なお、実施形態の図１の色度制御部６０または図１２の色度制御部６０ａの機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等の可搬媒体、ＵＳＢ（Ｕｎｉｖｅｒｓａｌ  Ｓｅｒｉａｌ  Ｂｕｓ）  Ｉ／Ｆ（インタフェース）を介して接続されるＵＳＢメモリ、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００８６】
１…表示装置、１０…設定輝度指定部、２０、２０ａ…駆動部、３０、３０ａ…バックライト、４０…光検出部、５０…設定色度指定部、６０、６０ａ…色度制御部、７０、７０ａ…ホワイトバランス補正部、８０、８０ａ…表示部、６０１…装置推定部、６０２…ＢＬ劣化推測部、６０３…記憶部、６０４…表示色度補正部、９００…表示システム、９０１…映像出力装置、９０２…表示装置、９０３…映像ケーブル、９０４…制御信号ケーブル、９１１…映像信号出力部、９１２、９２２…制御信号入出力部、９２１…映像信号入力部
【図１】
2014192148.tif 000003
【図２】
2014192148.tif 000004
【図３】
2014192148.tif 000005
【図４】
2014192148.tif 000006
【図５】
2014192148.tif 000007
【図６】
2014192148.tif 000008
【図７】
2014192148.tif 000009
【図８】
2014192148.tif 000010
【図９】
2014192148.tif 000011
【図１０】
2014192148.tif 000012
【図１１】
2014192148.tif 000013
【図１２】
2014192148.tif 000014
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成部を備え、
前記生成部は、前記バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記劣化値を算出し、
前記表示色度は、
前記劣化値で示される劣化の度合いが大きくなるに従って、前記設定色度から前記装置色度に向けて近づく
ことを特徴とする表示装置。
【請求項２】
前記生成部は、
前記劣化値で示される劣化の度合いが大きくなるに従って、前記設定色度と前記表示色度との色差を大きくし、前記装置色度と前記表示色度との色差を小さくするように前記表示色度を生成する
ことを特徴とする請求項１に記載の表示装置。
【請求項３】
映像信号のゲインまたは前記バックライトを駆動する駆動値を、前記生成部が生成した前記表示色度に基づいて調整する映像信号調整部
を備えることを特徴とする請求項１または請求項２のいずれか１項に記載の表示装置。
【請求項４】
前記装置色度は、
予め定められている固定値、前記バックライトの使用時間、所定の駆動値で前記バックライトを発光したときの前記バックライトの色度、および所定の輝度になるように前記バックライトを駆動したときの駆動値のうち少なくとも１つに基づいて算出された値である
ことを特徴とする請求項１または請求項３のいずれか１項に記載の表示装置。
【請求項５】
前記生成部は、
前記劣化値として、劣化の度合いが大きくなると１から０に近づく値を用い、次式によって前記表示色度を生成する
劣化値×設定色度＋（１−劣化値）×装置色度
ことを特徴とする請求項１から請求項４のいずれか１項に記載の表示装置。
【請求項６】
表示装置と映像出力装置とを有する表示システムであって、
前記表示装置が、
光源を有するバックライトと、
前記バックライトを駆動する駆動部と、を備え、
前記映像出力装置が、
前記バックライトの劣化の度合いを示す劣化値と、ユーザ設定に基づく白点の色度である設定色度と、前記表示装置において最も輝度が高くなる白点の色度である装置色度と、に基づいて、前記表示装置に表示する白点の色度である表示色度を生成する生成部と、
映像信号のゲインまたは前記バックライトを駆動する駆動値を、前記生成部が生成した前記表示色度に基づいて調整する映像信号調整部と、を備え、
前記生成部は、前記バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記劣化値を算出し、
前記表示色度は、
前記劣化値で示される劣化の度合いが大きくなるに従って、前記設定色度から前記装置色度に向けて近づく
ことを特徴とする表示システム。
【請求項７】
バックライトの劣化の度合いを示す劣化値と、ユーザ設定に基づく白点の色度である設定色度と、表示装置において最も輝度が高くなる白点の色度である装置色度と、に基づいて、前記表示装置に表示する白点の色度である表示色度を生成する生成部と、
映像信号のゲインまたは前記バックライトを駆動する駆動値を、前記生成部が生成した前記表示色度に基づいて調整する映像信号調整部と、
前記映像信号調整部が調整した後の前記映像信号または前記駆動値を、前記バックライトを有する表示装置に出力する出力部と、
を備え、
前記生成部は、前記バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記劣化値を算出し、
前記表示色度は、
前記劣化値で示される劣化の度合いが大きくなるに従って、前記設定色度から前記装置色度に向けて近づく
ことを特徴とする映像出力装置。
【請求項８】
バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記バックライトの劣化の度合いを示す劣化値を算出する手順と、
前記劣化値と、ユーザ設定に基づく白点の色度である設定色度と、自表示装置において最も輝度が高くなる白点の色度である装置色度と、に基づいて、自表示装置に表示する白点の色度である表示色度を生成する生成手順と、
映像信号のゲインまたは前記バックライトを駆動する駆動値を、前記生成手順によって生成された前記表示色度に基づいて調整する手順と、を含み、
前記表示色度は、
前記劣化値で示される劣化の度合いが大きくなるに従って、前記設定色度から前記装置色度に向けて近づく
ことを特徴とする表示装置の制御方法。
【手続補正２】
【補正対象書類名】明細書
【補正対象項目名】０００７
【補正方法】変更
【補正の内容】
【０００７】
上記目的を達成するため、本発明に係る表示装置は、バックライトの劣化の度合いを示す劣化値と、ユーザ設定に基づく白点の色度である設定色度と、自表示装置において最も輝度が高くなる白点の色度である装置色度と、に基づいて、自表示装置に表示する白点の色度である表示色度を生成する生成部を備え、前記生成部は、前記バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記劣化値を算出し、前記表示色度は、前記劣化値で示される劣化の度合いが大きくなるに従って、前記設定色度から前記装置色度に向けて近づく。
【手続補正３】
【補正対象書類名】明細書
【補正対象項目名】０００８
【補正方法】変更
【補正の内容】
【０００８】
上記目的を達成するため、本発明に係る表示システムは、表示装置と映像出力装置とを有する表示システムであって、前記表示装置が、光源を有するバックライトと、前記バックライトを駆動する駆動部と、を備え、前記映像出力装置が、前記バックライトの劣化の度合いを示す劣化値と、ユーザ設定に基づく白点の色度である設定色度と、前記表示装置において最も輝度が高くなる白点の色度である装置色度と、に基づいて、前記表示装置に表示する白点の色度である表示色度を生成する生成部と、映像信号のゲインまたは前記バックライトを駆動する駆動値を、前記生成部が生成した前記表示色度に基づいて調整する映像信号調整部と、を備え、前記生成部は、前記バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記劣化値を算出し、前記表示色度は、前記劣化値で示される劣化の度合いが大きくなるに従って、前記設定色度から前記装置色度に向けて近づく。
【手続補正４】
【補正対象書類名】明細書
【補正対象項目名】０００９
【補正方法】変更
【補正の内容】
【０００９】
上記目的を達成するため、本発明に係る映像出力装置は、バックライトの劣化の度合いを示す劣化値と、ユーザ設定に基づく白点の色度である設定色度と、表示装置において最も輝度が高くなる白点の色度である装置色度と、に基づいて、前記表示装置に表示する白点の色度である表示色度を生成する生成部と、映像信号のゲインまたは前記バックライトを駆動する駆動値を、前記生成部が生成した前記表示色度に基づいて調整する映像信号調整部と、前記映像信号調整部が調整した後の前記映像信号または前記駆動値を、前記バックライトを有する表示装置に出力する出力部と、を備え、前記生成部は、前記バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記劣化値を算出し、前記表示色度は、前記劣化値で示される劣化の度合いが大きくなるに従って、前記設定色度から前記装置色度に向けて近づく。
【手続補正５】
【補正対象書類名】明細書
【補正対象項目名】００１０
【補正方法】変更
【補正の内容】
【００１０】
上記目的を達成するため、本発明に係る表示装置の制御方法は、バックライトを駆動する駆動値の初期値と現在値の比、前記バックライトの色度の初期値と現在値の比、前記バックライトの輝度の初期値と現在値の比、および前記バックライトの初期状態から現在までの使用時間のうち少なくとも１つに基づいて前記バックライトの劣化の度合いを示す劣化値を算出する手順と、前記劣化値と、ユーザ設定に基づく白点の色度である設定色度と、自表示装置において最も輝度が高くなる白点の色度である装置色度と、に基づいて、自表示装置に表示する白点の色度である表示色度を生成する生成手順と、映像信号のゲインまたは前記バックライトを駆動する駆動値を、前記生成手順によって生成された前記表示色度に基づいて調整する手順と、を含み、前記表示色度は、前記劣化値で示される劣化の度合いが大きくなるに従って、前記設定色度から前記装置色度に向けて近づく。
【国際調査報告】
2014192148.tif 000015
2014192148.tif 000016
2014192148.tif 000017
2014192148.tif 000018